(57)【要約】【課題】本発明は、無線通信システムで少なくとも一つのアクセスターミナル（ＡＴ）から受信確認（ＡＣＫ）信号を受信する方法に関するものである。【解決手段】前記方法は、前記アクセスネットワーク（ＡＮ）からパケットデータチャネルを通して少なくとも一つのパケットを伝送する段階と；特定のコードがそれぞれ割り当てられた少なくとも一つのＡＴから同一のチャネル資源を用いて少なくとも一つのＡＣＫを受信する段階と；前記受信された少なくとも一つのＡＣＫ信号から前記伝送されたパケットに対応するＡＣＫ信号を識別する段階と；を含む。【選択図】図１
2009534877.tif 000002
【特許請求の範囲】
【請求項１】
無線通信システムで少なくとも一つのアクセスターミナル（ＡＴ）から受信確認（ＡＣＫ）信号を受信する方法において、
アクセスネットワーク（ＡＮ）からパケットデータチャネルを通して少なくとも一つのパケットを伝送する段階と；
特定のコードがそれぞれ割り当てられた少なくとも一つのＡＴから同一のチャネル資源を用いて少なくとも一つのＡＣＫ信号を受信する段階と；
前記受信された少なくとも一つのＡＣＫ信号から前記伝送されたパケットに対応するＡＣＫ信号を識別する段階と；を含む受信確認信号の受信方法。
【請求項２】
前記チャネル資源は、時間及び周波数資源を含むことを特徴とする請求項１に記載の受信確認信号の受信方法。
【請求項３】
前記無線通信システムは、直交周波数分割多重化（ＯＦＤＭ）方式を使用することを特徴とする請求項１に記載の受信確認信号の受信方法。
【請求項４】
前記コードは、スクランブリングコードであることを特徴とする請求項１に記載の受信確認信号の受信方法。
【請求項５】
前記コードは、ウォルシュコードであることを特徴とする請求項１に記載の受信確認信号の受信方法。
【請求項６】
前記コードは、擬似雑音シーケンスコード（ｐｓｅｕｄｏ  ｎｏｉｓｅ  ｓｅｑｕｅｎｃｅ  ｃｏｄｅ）であることを特徴とする請求項１に記載の受信確認信号の受信方法。
【請求項７】
無線通信システムで少なくとも一つのアクセスターミナル（ＡＴ）が受信確認（ＡＣＫ）信号を伝送する方法において、
パケットデータチャネルを通してアクセスネットワーク（ＡＮ）から少なくとも一つのパケットを受信する段階と；
各ＡＣＫ信号を伝送するために、他のＡＴによって共有される同一のチャネル資源を用いてＡＴ-特定（ＡＴ-ｓｐｅｃｉｆｉｃ）のＡＣＫ信号を前記ＡＮに伝送する段階と；を含む受信確認信号の伝送方法。
【請求項８】
少なくとも一つのＡＴが少なくとも一つのＡＮと通信することを特徴とする請求項７に記載の受信確認信号の伝送方法。
【請求項９】
前記チャネル資源は、時間及び周波数資源を含むことを特徴とする請求項７に記載の受信確認信号の伝送方法。
【請求項１０】
無線通信システムで少なくとも一つのアクセスターミナル（ＡＴ）から受信確認（ＡＣＫ）信号を受信する方法において、
プリアンブル及び各ＡＴに対応するＡＴ-特定のコードを指示する順次的な順序で配列された多数のパケットを含むマルチ-ユーザーパケット（ＭＵＰ）を伝送する段階と；
前記ＡＴ-特定のコードに対応する前記各ＡＴから前記ＡＣＫ信号を受信する段階と；を含む受信確認信号の受信方法。
【請求項１１】
前記ＡＴ-特定のコードは、媒体接近制御識別子（ＭＡＣ  ＩＤ）であることを特徴とする請求項１０に記載の受信確認信号の受信方法。
【請求項１２】
前記ＡＴ-特定のコードは、前記プリアンブル内に定義され、前記ＭＵＰ内で前記ＡＴの位置を指示することを特徴とする請求項１０に記載の受信確認信号の受信方法。
【請求項１３】
前記ＡＴ-特定のコードは、スクランブリングコードであることを特徴とする請求項１０に記載の受信確認信号の受信方法。
【請求項１４】
前記ＡＴ-特定のコードは、ウォルシュコードであることを特徴とする請求項１０に記載の受信確認信号の受信方法。
【請求項１５】
無線通信システムで少なくとも一つのアクセスターミナル（ＡＴ）が受信確認（ＡＣＫ）信号を伝送する方法において、
プリアンブル及びＡＴ-特定のコードを指示する順次的な順序で配列された多数のパケットを含むマルチ-ユーザーパケット（ＭＵＰ）を受信する段階と；
前記多数のパケットから前記ＡＴ-特定のコードに対応するパケットをデコーディングした後、前記ＡＣＫ信号を伝送する段階と；を含む受信確認信号の伝送方法。
【請求項１６】
前記ＡＴ-特定のコードは、スクランブリングコードであることを特徴とする請求項１５に記載の受信確認信号の伝送方法。
【発明の詳細な説明】
【技術分野】
【０００１】
本発明は、無線通信システムで信号を伝送または受信する方法に関するもので、より具体的には、受信確認信号を伝送または受信する方法に関するものである。
【背景技術】
【０００２】
通常、セルラー情報通信業界の当業者は、１Ｇ、２Ｇ及び３Ｇという用語を使用する。前記用語は、使用されたセルラー技術の世代を示す。すなわち、１Ｇは１世代、２Ｇは２世代、３Ｇは３世代をそれぞれ示す。
【０００３】
１Ｇは、ＡＭＰＳ（Ａｄｖａｎｃｅｄ  Ｍｏｂｉｌｅ  Ｐｈｏｎｅ  Ｓｅｒｖｉｃｅ）電話システムとして知られたアナログ電話システムを示す。２Ｇは、一般的に全世界的に広く使用されているデジタルセルラーシステムを示し、ＣＤＭＡＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、及びＴＤＭＡ（Ｔｉｍｅ  Ｄｉｖｉｓｉｏｎ  Ｍｕｌｔｉｐｌｅ  Ａｃｃｅｓｓ）を含む。２Ｇシステムは、密集地域で１Ｇシステムより多くの使用者を支援することができる。
【０００４】
３Ｇは、一般的に現在使用されている各デジタルセルラーシステムを示す。これら３Ｇ通信システムは、幾つかの重要な差異点を除いては概念的に互いに類似している。
【０００５】
無線通信システムにおいては、情報率を増加させたり、無線環境の過酷な条件下で通信システムの安定性（ｒｏｂｕｓｔｎｅｓｓ）を改善させる方法や技術を開発することが重要である。非理想的な（ｌｅｓｓ−ｔｈａｎ−ｉｄｅａｌ）通信条件に対処して／したり通信を改善するために、不必要なデータ伝送減少などの多様な方法が、資源を確保するとともに、より効果的に伝送を改善するのに使用される。
【発明の開示】
【発明が解決しようとする課題】
【０００６】
本発明は、無線通信システムで受信確認信号を伝送または受信する方法に関するもので、当該分野の制限や短所による一つ以上の問題点を実質的に解消することができる。
【０００７】
本発明の目的は、無線通信システムで少なくとも一つのアクセスターミナル（ＡＴ）から受信確認（ＡＣＫ）信号を受信する方法を提供することにある。
【０００８】
本発明の他の目的は、無線通信システムで少なくとも一つのアクセスターミナル（ＡＴ）が受信確認（ＡＣＫ）信号を伝送する方法を提供することにある。
【０００９】
本発明の追加的な利点、目的及び特徴のうち一部は詳細な説明に記載されるはずで、一部は、本発明の内容から当業者が明白に知ることができ、本発明の実施によって理解することができる。本発明の目的及び利点は、詳細な説明、特許請求の範囲及び添付された図面によって具体的に指示された構造によって実現及び獲得可能である。
【課題を解決するための手段】
【００１０】
本発明の目的及び利点を達成するために、本発明は、広く記載されて具現されたように、無線通信システムで少なくとも一つのアクセスターミナル（ＡＴ）から受信確認（ＡＣＫ）信号を受信する方法に関するもので、アクセスネットワーク（ＡＮ）からパケットデータチャネルを通して少なくとも一つのパケットを伝送する段階と、特定のコードがそれぞれ割り当てられた少なくとも一つのＡＴから同一のチャネル資源を用いて少なくとも一つの受信確認信号を受信する段階と、前記受信された少なくとも一つのＡＣＫ信号から前記伝送されたパケットに対応するＡＣＫ信号を識別する段階とを含む。
【００１１】
本発明の他の様相は、無線通信システムで少なくとも一つのアクセスターミナル（ＡＴ）が受信確認（ＡＣＫ）信号を伝送する方法に関するもので、パケットデータチャネルを通してアクセスネットワーク（ＡＮ）から少なくとも一つのパケットを受信する段階と、各ＡＣＫ信号を伝送するために、他のＡＴによって共有される同一のチャネル資源を用いてＡＴ-特定（ＡＴ-ｓｐｅｃｉｆｉｃ）のＡＣＫ信号を前記ＡＮに伝送する段階とを含む。
【００１２】
本発明の他の様相は、無線通信システムで少なくとも一つのアクセスターミナル（ＡＴ）から受信確認（ＡＣＫ）信号を受信する方法に関するもので、プリアンブル及び各ＡＴに対応するＡＴ-特定のコードを指示する順次的な順序で配列された多数のパケットを含むマルチ-ユーザーパケット（ＭＵＰ）を伝送する段階と、前記ＡＴ-特定のコードに対応する前記各ＡＴから前記ＡＣＫ信号を受信する段階とを含む。
【００１３】
本発明の他の様相は、無線通信システムで少なくとも一つのアクセスターミナル（ＡＴ）が受信確認（ＡＣＫ）信号を伝送する方法に関するもので、プリアンブル及びＡＴ-特定のコードを指示する順次的な順序で配列された多数のパケットを含むマルチ-ユーザーパケット（ＭＵＰ）を受信する段階と、前記多数のパケットから前記ＡＴ-特定のコードに対応するパケットをデコーディングした後で前記ＡＣＫ信号を伝送する段階とを含む。
【００１４】
本発明の明細書に記載された内容は、発明の技術的思想を例示または説明するためのもので、請求された発明に対して追加的に説明するためのものである。
（産業上の利用可能性）
本発明がその技術的思想や範囲内で多様に変更または変形可能であることは、当業者であれば明らかに理解可能である。したがって、特許請求の範囲及びその均等物の範囲内の如何なる変更または変形形態も本発明の範囲に含まれる。
【発明を実施するための最良の形態】
【００１５】
以下、本発明の好適な実施例を添付された図面に基づいて詳細に説明する。図面の全体において、同一または類似した構成には同一の参照番号を使用している。
【００１６】
ＵＭＢ（ｕｌｔｒａ  ｍｏｂｉｌｅ  ｂｒｏａｄｂａｎｄ）は、コード分割多重接続（ＣＤＭＡ）、時分割多重化（ＴＤＭ）、ＬＳ−ＯＦＤＭ、直交周波数分割多重化（ＯＦＤＭ）、及びＯＦＤＭ接続（ＯＦＤＭＡ）の多様な様相を高度の制御／信号メカニズム及び改善されたアンテナ技術（例えば、多重入力多重出力（ＭＥＭＯ）及び空間分割多重接続（ＳＤＭＡ））を用いて単一無線インターフェースに結合する。その結果、性能が向上するようになる。
【００１７】
ＵＭＢの多様な利点のうち、集中化されたアクセスネットワークを効果的に支援することが挙げられる。ＵＭＢにおいて、アクセスターミナル（ＡＴ）は、活性セットにある各基地局（ＢＳ）またはアクセスネットワーク（ＡＮ）のために別途のプロトコルスタックを維持する。前記各ＢＳは、インター-ＡＮインターフェースによって連結される。前記インター-ＡＮインターフェースは、階層２及び／または階層３パケットのトンネリング、セッショントランスファー、ページング及び隣接探索（ｎｅｉｇｈｂｏｒ  ｄｉｓｃｏｖｅｒｙ）などの多様な機能を支援する。しかしながら、前記インター-ＡＮインターフェースが、他のＡＮと連結状態にある単一のＢＳ／ＡＮ、サービス提供ＡＮによるトンネリングされたパケットの解析／翻訳、またはＲｏＨＣ／Ｃｏｎｎｅｃｔｉｏｎ／ＲＬＰ状態の伝送のみを支援する必要はない。また、各セルは別途のＡＮ／ＢＳでもある。
【００１８】
また、活性セットにある各ＢＳは、別途のデータ経路を使用する。すなわち、各ＢＳの間にＲＬＰ及びヘッダー圧縮状態を伝送する必要がない。さらに、前記ＢＳとＡＴとの間のトラフィックフローが前記サービス提供ＢＳを通してトンネリングされる。これは、セル／セクターの間の迅速でかつシームレスな再-ポインティング（ｒｅ−ｐｏｉｎｔｉｎｇ）を支援する。
【００１９】
活性セットにある各ＢＳは、別途の個人性を使用することができる。すなわち、無線インターフェースリビジョン境界（ｒｅｖｉｓｉｏｎ  ｂｏｕｎｄａｒｉｅｓ）を超えるとき、シームレスにハンドオフされる。また、ＢＳとＡＴとの間のプロトコルの信号メッセージが前記サービス提供ＢＳを通してトンネリングされる。ここで、トンネルとして動作する前記ＢＳは、前記トンネリングされたメッセージを解析する必要がない。また、各ＢＳの間のプロトコル変換もない。
【００２０】
連結維持管理と関連して、前記ＢＳは、前記活性セットにある他のＢＳの連結状態を維持・管理する必要がなく、これは、前記ＢＳが各ＢＳの間で連結状態を同期化する必要がないことを意味する。
【００２１】
前記ＵＭＢにおいて、逆方向リンクは多放送（ｍａｎｙｃａｓｔ）を許容する。すなわち、前記ＡＴは、無線でパケットを一回送り、前記パケットを多数のＢＳまたはＡＮに伝達することができる。また、ＵＭＢ階層化は、データ経路でプロトコルの数を減少させる。
【００２２】
前記ＵＭＢのような無線通信システムで、順方向リンク（ＦＬ）及び逆方向リンク（ＲＬ）に対して自動要請（ＡＲＱ）またはハイブリッドＡＲＱ（Ｈ−ＡＲＱ）を用いた多様な高速パケット無線インターフェース設計が具現される。前記ＦＬと関連して、基地局（ＢＳ）が前記ＦＬ上でパケットをアクセスターミナル（ＡＴ）に伝送した後、前記ＡＴは、前記パケットが成功的に受信されたかどうかを指示する肯定受信確認（ＡＣＫ）または否定受信確認（ＮＡＫ）で応答することができる。前記ＡＣＫまたはＮＡＫは、一般的にＲＬ  ＡＣＫチャネルを用いて指示される。
【００２３】
以下、前記ＢＳは、アクセスネットワーク、ノード、ノードＢ、サービス提供ＢＳ及びネットワークとも称される。また、前記ＡＴは、基地局、ターミナル、移動加入局及びターミナルステーションとも称される。以下の内容は、マルチ-ユーザーパケット（ＭＵＰ）にも適用される。
【００２４】
１ｘＥＶ−ＤＯ（１ｘ  Ｅｖｏｌｕｔｉｏｎ  Ｄａｔａ  Ｏｐｔｉｍｉｚｅｄ）システムにおいて、前記ＡＣＫ／ＮＡＫは専用チャネルを通して伝送される。すなわち、前記ＡＣＫ及び／またはＮＡＫ信号は、専用ＲＬ  ＡＣＫ及び／またはＮＡＫチャネルを通して伝送される。
【００２５】
前記ＵＭＢと同様に、システムの機能及び容量が持続的に発展するにつれて、前記ＲＬ  ＡＣＫチャネルの場合、ＲＬターミナルの間に共有（または共通）ＡＣＫチャネルを使用することが可能である。前記ＡＴは、特定のＦＬパケットチャネルで前記ＡＣＫに対して予約された特定の資源（例えば、周波数トーン）を使用することができる。例えば、時分割多重接続（ＴＤＭＡ）方式で特定の時間に一つのＡＴのみがスケジューリングされている場合、サービス提供セル／セクターのＢＳは、前記スケジューリングされたＡＴから最大一個のＲＬ  ＡＣＫを受信すると期待することができる。
【００２６】
例えば、二つ（２）のＡＴがあると仮定すると、二つ（２）のＡＴが同時にスケジューリングされる場合、二つ（２）の共通ＡＣＫチャネルは、ＡＣＫを二つ（２）の対応ＦＬパケットにそれぞれ伝達するために別個に使用される。すなわち、前記二つ（２）のＡＣＫチャネルが二つ（２）の区分された周波数トーンセットを用いることで、直交性を提供しながら交差干渉を除去する。
【００２７】
しかしながら、前記共有または共通ＲＬ  ＡＣＫチャネルと関連して問題があり得る。より具体的に、前記資源が共有される場合、多数のＡＴから伝送されたＡＣＫの間に衝突があり得る。図１は、共有チャネルを通して多数のＡＴから伝送されたＡＣＫの間の可能な衝突を示した例示図である。図示したように、各ＡＴ（すなわち、ＡＴ１及びＡＴ２）から受信確認チャネル（ＡＣＫＣＨ）を通して伝送されるＡＣＫは、ＡＣＫＣＨ１に伝送されたり、これと異なって逆-ＡＣＫＣＨ１（Ｒ−ＡＣＫＣＨ１）に置かれる。前記共有ＡＣＫＣＨは、ＡＣＫを二つ（２）の異なるセクターに伝送させるので、ＡＴ１から伝送されたＡＣＫとＡＴ２から伝送されたＡＣＫとの間に衝突が発生しうる。
【００２８】
論議されたように、前記共有ＲＬ  ＡＣＫチャネルでは衝突が発生しうる。すなわち、何れかのＡＴは、自身がスケジューリングされたと誤って判断するようになる。結果的に、誤りを起こしたＡＴ及び実際にスケジューリングされたＡＴが同一の共通ＡＣＫチャネルを用いて伝送されることで、衝突が発生しうる。その場合、前記ＢＳの受信機の目的とするＡＴ  ＡＣＫチャネルに対する信頼度が大いに減少する。ここで、同一のトーンの一部または全体を用いて伝送する場合にも、他のＡＴの間に干渉が生じうる。
【００２９】
誤りを起こしたＡＴによる前記共有ＲＬ  ＡＣＫチャネルで発生しうる衝突を解決するために、前記ＡＣＫ信号（前記ＡＴ送信機で）の物理階層波形は、唯一及び／またはＡＴ-特定のコードでエンコーディングされる。例えば、前記ＡＣＫ信号は、前記ＡＴに唯一のスクランブリングコードでエンコーディングされる。また、前記ＡＴ-特定のコードは、媒体接近制御（ＭＡＣ）識別子（ＩＤ）とも称される。また、前記ＡＴ-特定のコードは、プリアンブル内に定義され、マルチ-ユーザーパケット（ＭＵＰ）内での前記ＡＴの位置を含むことができる。また、前記ＡＴ-特定のコードは、スクランブリングコードでもある。
【００３０】
１ｘＥＶ−ＤＯシステムでは、長い擬似雑音（ｐｓｅｕｄｏ  ｎｏｉｓｅ、ＰＮ）シーケンスが使用される。すなわち、各ＡＴに対するオフセットが変形され、各ＡＴを唯一に及び区別可能にすることができる。これは、前記シーケンスが長いことから可能である。例えば、図２は、各シーケンスに対する異なる開始点を示した例示図である。図２を参照すると、異なるオフセットが提供される。シーケンス１は１地点で開始され、シーケンス２は、時計方向に沿ってさらに進行した後、他の地点で開始され、残りのシーケンスにおいても同一である。このような方式を用いて、各シーケンスは唯一に及び区別可能に設けられる。
【００３１】
また、ウォルシュコードなどの他のシーケンスが使用され、このウォルシュコードは呼開始（ｃａｌｌ  ｓｔａｒｔ  ｕｐ）時に割り当てられる。前記ＢＳスケジューラは、如何なるＡＴがスケジューリングされるかを知っており、期待しているスクランブリングコードを知っている。したがって、前記受信されたスクランブリングコードが異なる場合、前記スケジューラは、エラーがあることを知るようになる。ＡＣＫを伝送する二つ以上の信号がある場合、与えられたエンコーディングによって所望のＡＴのＡＣＫ反応を検出することが可能である。
【００３２】
ここで、前記ＢＳスケジューラは、如何なる使用者がスケジューリングされたかを知っているので（特に、物理階層波形がＡＴに対して特定的であるので）、前記受信機は、見たり／受信すると期待する物理階層波形を知っている。また、ＡＣＫ信号をエンコーディングすることで、ＡＣＫ信号を多重化させ、より多くの周波数多様性を提供することができる。これは、ＡＣＫ信号に対して一つ以上のトーンが使用可能であることを仮定する。
【００３３】
前記ＡＣＫがＡＴ-特定の環境で伝送される場合、干渉及び／または衝突が発生しにくく、直交性が不在する。しかしながら、セクター-特定のシステムでは、干渉及び／または衝突が各セクターの間に発生しうる（図１に示す通りである）。しかしながら、干渉及び／または衝突は、前記セクター内では起こらず、各セクターの間のみで起きる。
【００３４】
このように、前記共有チャネル環境で、他のセクター（セクターＢ）にある他のＡＴ（ＡＴ＿Ｂ）は、関心セクター（セクターＡ）にある関心ＡＴ（ＡＴ＿Ａ）と同一のＲＬ資源を使用することができる。この場合、上述したように、前記ＡＴ＿ＡのＡＣＫチャネルとＡＴ＿ＢのＡＣＫチャネルは、同一の資源を用いて同一の時間に伝送される場合に衝突しうる。例えば、他のセクターにある前記各ＡＴは、同一のＲＬ直交周波数分割多重化（ＯＦＤＭ）資源を用いて伝送することができ、結果的に衝突が生じる。
【００３５】
他のセル／セクターにある各ＡＴが同一のＲＬ資源を共有することで、前記共有ＲＬ  ＡＣＫチャネルに発生しうる潜在的な衝突を解決するために、前記ＡＣＫ信号の物理階層フレームは、セクター-特定のスクランブリングコードを用いてエンコーディングされる。
【００３６】
例えば、ＵＭＢ（Ｕｌｔｒａ−Ｍｏｂｉｌｅ  Ｂｒｏａｄｂａｎｄ）において、各ＡＴに長さがそれぞれ１６である二つ（２）の離散フーリエ変換（ＤＦＴ）コードが割り当てられる。前記ＡＣＫは、前記ＤＦＴコードのうち一つを用いてエネルギーを伝達することで伝送される。ここで、残りのＤＦＴコードを通しては何にも伝送されない。また、ＤＦＴコードでエネルギーを伝達しないので、前記ＮＡＫは伝送されない。
【００３７】
これと関連して発生しうる問題は、同一のＤＦＴコード及びＯＦＤＭ資源が隣接セクターで再び使用されることで、前記干渉ＡＴが前記セクター-境界領域に隣接した場合（例えば、ｐｏｏｒ  ｇｅｏｍｅｔｒｙ  ＡＴ）より深刻な衝突が起きることにある。この場合、特定のセクター（例えば、セクターＡ）にある各ＡＴは、セクター-特定のスクランブリングコードを使用して前記ＤＦＴコードをＯＦＤＭ副-搬送波にランダムにマッピングすることができる。このようなランダムマッピングは、セクター-特定のインターリーバー及び／またはセクター-特定のスクランブリングコードによって制御されるインターリーバーによって達成される。
【００３８】
衝突問題を解決するために、前記ＡＣＫＣＨのチャネル資源も可変的になり得る。一般的に、前記ＡＣＫＣＨのチャネル資源は、対応パケットデータチャネル（ＰＤＣＨ）のデータ率と関係なしに固定されている。ＡＣＫＣＨに割り当てられる資源の量を固定する代わりに、前記ＰＤＣＨのデータ率によってＡＣＫＣＨに割り当てられる資源の量を可変的にすることができる。前記方法の利点は、前記ＰＤＣＨデータ率の増加とともに、より信頼性のあるＡＣＫＣＨを有する値が増加することにある。より多い資源を用いるＡＣＫＣＨは、より大きい周波数多様性を実現することができ、その結果、より大きい信頼性を得ることができる。
【００３９】
また、前記ＡＣＫＣＨに割り当てられる資源を可変的にすると、不必要な再-伝送（ＡＣＫがＮＡＫに誤まってデコーディングされた場合）及び／または必要な再-伝送の不在（ＮＡＫがＡＣＫに誤まってデコーディングされた場合）のように問題を引き起こすＡＣＫＣＨデコーディング失敗の可能性を減少させることができる。
【００４０】
前記衝突問題を解決するために、前記ＰＤＣＨデータ率を使用する代わりに、前記ＰＤＣＨデータ伝送フォーマット及び／またはチャネル資源の数も使用される（例えば、前記ＰＤＣＨに使用されるＣＤＭＡのチャネルコードまたはＯＦＤＭのタイル）。
【００４１】
前記ＵＭＢと関連して、ＡＴは、４個のサブ-タイルに対して二つのＤＦＴコードで構成された一個のＲ−ＡＣＫＣＨ資源ユニットを使用するように制限される（一般的に、各サブ-タイルは、周波数ドメインで可能な限り遠く位置し、周波数多様性を保障する）。Ｒ−ＡＣＫＣＨ資源が残る場合、前記各ＡＴは、一つ以上のＲ−ＡＣＫＣＨ資源を使用することができる。
【００４２】
前記ＵＭＢの構造は、プリアンブル及び２５個の物理フレームを含む。プリアンブル及び物理フレーム当たり８個（８）のＯＦＤＭシンボルが存在する。前記プリアンブルと関連して、最初の５個のＯＦＤＭシンボルが前記プリアンブルによって伝達される。
【００４３】
また、互いに異なるＯＦＤＭ資源で、前記Ｒ−ＡＣＫＣＨ及び／またはサブ-タイルのセクター-特定のホッピングが発生しうる。例えば、一つのフレームから他のフレームにセクター-特定の擬似-ランダム方式による一つのセットのＡＣＫＣＨ（１６ＤＦＴコード）ホップが存在する。
【００４４】
また、前記サブ-タイルの位置を各タイルでスクランブリングすることもできる。現在、これらは、タイルの下側半分に設定されている。これらを前記タイル内にランダムに割り当てることで、衝突を最小化する。
【００４５】
また、マルチ-ユーザーパケット（ＭＵＰｓ）は、１ｘＥＶ−ＤＯに存在する無線-インターフェースの特徴であり、共通伝送フォーマット及び共有資源（時間、周波数及び／または空間）を用いて多数のＡＴをスケジューリングさせる。ＭＵＰを用いて、ＭＵＰパケットを成功的にデコーディングした前記各ＡＴは、前記共有チャネルでない専用チャネルを通してＡＣＫを伝送することができる。他の場合に、各ＡＴは何にも伝送しない。前記共有ＡＣＫチャネルを用いる場合、論議されたように、多数のＡＴが前記共有ＡＣＫチャネルを通してＡＣＫを伝送することができ、結果的に衝突が発生しうる。
【００４６】
ＭＵＰと関連して発生しうる衝突と関連した潜在的な問題を解決するために、ＭＵＰ内に黙示的なシーケンシング情報を使用することができる。より具体的に、ＭＵＰ内の前記各ＡＴはシーケンシングされる。例えば、１ｘＥＶ−ＤＯにおいて、各使用者に対するヘッダー及び情報ビットが順次的に整列され、最大８個（８）のＡＴが整列される。前記ＡＣＫチャネルは、８個のうち一つの直交（または、直交しないが、区分される）コードを用いて変調される。例えば、（長さ８）８ウォルシュコードは、前記最大８個のＡＴの前記ＡＣＫをそれぞれ指示するためにマッピングされる。
【００４７】
図３は、ＭＵＰで異なるコードを使用する多数のＡＴを示した例示図である。図３を参照すると、各ＡＴは、他のＡＴによって使用される規定コードと異なる規定コードを使用する。ここで、ＡＴ＿Ａがスクランブリングコードシーケンス１を使用する反面、ＡＴ＿Ｂは、スクランブリングコードシーケンス２を使用し、その他のものも同様である。
【００４８】
また、エンコーディングは、時間ドメインまたは周波数ドメインで、またはこれら二つの組み合わせによって行われる。時間ドメインのみを使用する場合、前記ＡＣＫビット伝送に対して少なくとも８個のインスタンスが必要である。
【００４９】
前記８個（８）のＡＣＫを必要とする例を考慮するとき、周波数ドメインのみを使用する場合、マルチ-コードＣＤＭＡを許容するために、少なくとも８個のトーンが必要である。時間と周波数を組み合わせて使用する場合、これら二つの幾つかの組み合わせが使用される。例えば、二つの伝送インスタント（一回反復）がある場合、少なくとも４個の周波数トーンが必要である。
【００５０】
前記共有ＲＬ  ＡＣＫチャネルに関して論議された問題点は、スケジューリングされたＡＴのＲＬにも適用される。
【図面の簡単な説明】
【００５１】
【図１】共有チャネルを通して多数のＡＴから伝送された各ＡＣＫの可能な衝突を示した例示図である。
【図２】各シーケンスに対する異なる開始点を示した例示図である。
【図３】ＭＵＰ内で異なるコードを使用している多数のＡＴを示した例示図である。
【図１】
2009534877.tif 000003
【図２】
2009534877.tif 000004
【図３】
2009534877.tif 000005